【手続補正書】
【提出日】平成16年11月9日(2004.11.9)
【手続補正１】
【補正対象書類名】明細書
【補正対象項目名】特許請求の範囲
【補正方法】変更
【補正の内容】
【特許請求の範囲】
【請求項１】  縦軸、横軸、および第１及び第２の側部を有するコンベヤーベルトの故障状態を検出するための故障監視および感知システムであって、
ａ）前記ベルトの縦軸に沿って離間された故障感知場所に複数の故障感知ユニットを備えている故障感知システムであり、該故障感知ユニットのそれぞれは、
ｉ）前記ベルトの前記側部の間に拡張しかつベルト無故障状態では完全な状態を有し、かつベルト故障状態では不完全な状態を有する電導故障応答コンポーネントと、
ｉｉ）前記故障反応コンポーネントに機能的に接続されかつ完全な状態及び不完全な状態に対応する無故障または故障応答をそれぞれ供給するように構成された故障感知回路を備えている故障感知コンポーネントと、
を備えている、該故障感知システムと、
ｂ）前記故障感知ユニットに問合せ信号を送信しかつ前記感知ユニットから故障または無故障応答を受信し、そして次に、前記感知ユニットからの前記応答に対応する報告信号を生成し、それによって前記ベルトが移動しかつ前記故障感知ユニットが故障監視区分を通過すると、前記故障感知ユニットの場所においてベルトの故障または無故障状態が検出されるように構成された故障検出場所における故障監視区分と
を備えていることを特徴とする故障監視および感知システム。
【請求項２】  前記電導故障応答コンポーネントは、前記ベルトの第１及び第２の側部の間に拡張し、かつ前記故障感知回路に接続する電導パスを供給し、前記故障感知回路は、前記第１の無故障応答を供給するために完全な故障応答コンポーネントの電導パスで機能する第１の動作モードを有し、かつ前記第２の故障応答を送信するために不完全な状態における故障応答コンポーネントの電導パスで機能する第２の動作モードを有することを特徴とする請求項１に記載のシステム。
【請求項３】  前記電導故障応答コンポーネントは、分路接続を形成するために前記故障感知回路に接続する二つ端部接続部分を有する伝導ループを備え、かつその不完全な状態の該故障応答コンポーネントにより、前記電導パスは、遮断され、かつ分路パスは、機能しなくなることを特徴とする請求項２に記載のシステム。
【請求項４】  前記分路接続は、前記故障感知回路を伴う少なくとも一つの回路コンポーネントと並列であることを特徴とする請求項３に記載のシステム。
【請求項５】  前記故障感知回路は、少なくとも部分的に、完全な状態で前記故障応答コンポーネントと第１の共振周波数で動作し、かつ不完全な状態で前記故障応答コンポーネントと第２の共振周波数で動作する共振回路部を備え、かつ前記故障監視区分は、前記故障感知コンポーネントから受信された信号の周波数に対応する報告信号を生成するために、前記第１ならびに第２の周波数に応答する受信／応答部分を有することを特徴とする請求項１に記載のシステム。
【請求項６】  前記故障感知回路は、コイル部分及びキャパシタンス部分を備え、かつ前記電導故障応答コンポーネントは、無故障状態において、前記キャパシタンス部分が第１のキャパシタンス値を有し、かつ故障状態において、前記キャパシタンス部分が前記第１及び第２の周波数出力を供給するために第２のキャパシタンス値を有するような方法で少なくとも前記キャパシタンス部分との動作接続を有することを特徴とする請求項５に記載のシステム。
【請求項７】  前記電導故障応答コンポーネントは、前記キャパシタンス部分の少なくとも一つのキャパシタと直列であることを特徴とする請求項６に記載のシステム。
【請求項８】  前記電導故障応答コンポーネントは、前記キャパシタンス部分の少なくとも一つのキャパシタと並列であることを特徴とする請求項７に記載のシステム。
【請求項９】  前記監視区分は、前記故障感知ユニットを通電する問合せ信号を送信するように構成された検出区分を備え、かつ前記問合せ信号は、無故障または故障応答を起こすために前記故障感知回路の無故障動作モードまたは該故障感知回路の故障動作モードのそれぞれにおいて前記故障感知回路を通電するように構成されることを特徴とする請求項１に記載のシステム。
【請求項１０】  前記問合せ信号は、無故障または故障応答を生成するために、無故障または故障応答動作モードで前記故障感知回路の第１及び第２の信号コンポーネント整合特性を備えていることを特徴とする請求項１に記載のシステム。
【請求項１１】  前記検出区分は、それぞれ前記第１及び第２の周波数に対応する無故障応答または故障応答を送信するために第１または第２の周波数モードで動作する前記故障検出回路を通電するための第１及び第２の周波数コンポーネントを有する問合せ信号を送信するように構成されていることを特徴とする請求項１０に記載のシステム。
【請求項１２】  前記故障監視区分は、少なくとも第１及び第２の周波数コンポーネントを有する波形として前記問合せ信号を送信するように構成され、かつ前記故障感知回路は、完全な状態で故障応答コンポーネントと第１の共振周波数で動作し、かつ不完全な状態で故障応答コンポーネントと第２の共振周波数で動作する共振周波数部分を有し、前記システムは、前記故障感知ユニットの一つが故障監視区分に近いとき、前記故障感知回路が完全な状態で故障応答コンポーネントと前記第１の共振周波数で動作しているときに、前記共振回路部分は、前記監視区分の前記第１の周波数コンポーネントからエネルギを引き出し、かつ前記故障感知回路が、不完全な状態で故障応答コンポーネントと前記第２の共振周波数で動作しているときに、エネルギが前記故障監視区分の前記第２の周波数コンポーネントから引き出され、前記故障監視区分は、前記故障監視区分の前記第１または第２の周波数コンポーネントのいずれかのエネルギ・レベルにおける変化に応じて無故障または故障状態の報告信号を生成するように構成されることを特徴とする請求項１に記載のシステム。
【請求項１３】  第１及び第２の周波数の前記故障監視区分から報告信号を受信するように前記故障監視区分に機能的に接続された信号処理区分を更に備え、前記信号処理システムは、故障または無故障状態を確認するために前記第１または第２の周波数のいずれかの前記報告信号の振幅における減少を検出するように構成され、かつ前記信号処理区分は、故障または無故障状態を示す更なる信号を送信するように構成される請求項１２に記載のシステム。
【請求項１４】  前記信号処理区分は、前記故障監視セクションからの前記報告信号を整流するための整流器と、及び信号を供給するために前記整流された信号を基準信号と比較するための比較器とを備えている請求項１３に記載のシステム。
【請求項１５】  前記信号処理区分は、前記整流器から信号を受信するための低域フィルタと、前記低域フィルタからの信号を増幅するための増幅器とを備え、前記増幅器からの増幅された信号は、前記比較器に指向され、かつ基準信号が前記故障監視区分から生成された信号に対する比例関係を有するように、監視区分からの信号の強度に対応する基準信号を設定するために前記監視区分によって生成された信号の強度に応答するしきい値発生装置が存在することを特徴とする請求項１４に記載のシステム。
【請求項１６】  前記故障監視区分は、それぞれ前記第１及び第２の周波数で動作する第１及び第２の検出副区分を有する検出区分を備え、各検出副区分は、ドライバ・コイルにドライバ信号を供給するドライバ区分と、前記ドライバのコイルに結合された共振アイドラー区分と、及び前記アイドラー・セクションに結合されたピックアップ・コイルとを備え、前記ピックアップ・コイルは、出力信号を供給する請求項１に記載のシステム。
【請求項１７】  縦軸、横軸、および第１及び第２の側部を有するコンベヤーベルトの故障状態を検出する方法であって、
ａ）前記ベルトの縦軸に沿って離間された故障感知場所に複数の故障感知ユニットを配置する段階であり、該故障感知ユニットのそれぞれは、
ｉ）前記ベルトの前記側部の間に拡張しかつベルト無故障状態では完全な状態を有し、かつベルト故障状態では不完全な状態を有する電導故障応答コンポーネントと、
ｉｉ）前記故障反応コンポーネントに機能的に接続されかつ完全な状態及び不完全な状態に対応する無故障または故障応答をそれぞれ供給するように構成された故障感知回路を備えている故障感知コンポーネントと、
を備え、
ｂ）前記縦軸に位置合わせされたベルト移動パスに沿って前記ベルトをする段階であり、前記故障感知コンポーネントは、監視パスに沿って移動するように配置される、該段階と、
ｃ）前記監視パスに隣接する監視場所に故障監視区分を配置する段階と、
ｄ）前記監視場所を通り過ぎるユニットが感知ユニットからの故障または無故障応答を起動するときに前記故障感知ユニットに問合せ信号を送信し、そして次に、前記感知ユニットからの応答に対応する報告信号を生成する段階と、
を具備し、それによって前記ベルトが移動しかつ前記故障感知ユニットが前記故障監視区分を通り過ぎるときに、前記故障感知ユニットの場所における前記ベルトの故障または無故障状態が検出されることを特徴とする方法。
を備えていることを特徴とする故障監視および感知システム。
【請求項１８】  前記電導故障応答コンポーネントは、前記ベルトの第１及び第２の側部の間に拡張し、かつ前記故障感知回路に接続する電導パスを供給し、前記方法は、前記故障感知回路を前記第１の無故障応答を供給するために完全な故障応答コンポーネントの電導パスにより第１の動作モードで動作させるか、または前記故障感知回路を前記第２の故障応答を送信するために不完全な状態における故障応答コンポーネントの電導パスにより第２の動作モードで動作させることを特徴とする請求項１７に記載の方法。
【請求項１９】  前記電導故障応答コンポーネントは、分路接続を形成するために前記故障感知回路に接続する二つ端部接続部分を有する伝導ループを備え、かつその不完全な状態の該故障応答コンポーネントにより、前記電導パスは、遮断され、かつ分路パスは、機能しなくなり、前記分路接続は、前記故障感知回路の少なくとも一つの回路コンポーネントと並列であることを特徴とする請求項１８に記載の方法。
【請求項２０】  前記故障感知回路は、少なくとも部分的に、共振回路部分を備え、前記方法は、前記共振回路部分を完全な状態で前記故障応答コンポーネントと第１の共振周波数でかつ不完全な状態で前記故障応答コンポーネントと第２の共振周波数で動作で応答させる動作を具備することを特徴とする請求項１７に記載の方法。